(57)【要約】【課題】不在時に防犯機器を動作させて擬似的に在宅状態にする。【解決手段】郵便ポスト防犯連動システム１は、郵便ポスト２の郵便物の検出に連動して防犯機器７を動作する防犯制御モードを有し、郵便ポスト２内の郵便物を検知したときに郵便物有り検知信号を出力する郵便物検知部４と、不在を検知したときに不在検知信号を出力する不在検知部５と、閉扉・施錠状態で不在検知部５から不在検知信号が入力し、かつ郵便物検知部４から郵便物有り検知信号が入力したときに、予め設定された動作時間で防犯機器７を動作するべく防犯制御モードを実行する防犯機器制御部８とを備える。【選択図】図１
2011156219.tif 000002
【特許請求の範囲】
【請求項１】
郵便ポストの郵便物の検出に連動して防犯機器を動作する防犯制御モードを有する郵便ポスト防犯連動システムであって、
前記郵便ポスト内の郵便物を検知したときに郵便物有り検知信号を出力する郵便物検知部と、
不在を検知したときに不在検知信号を出力する不在検知部と、
閉扉・施錠状態で前記不在検知部から不在検知信号が入力し、かつ前記郵便物検知部から郵便物有り検知信号が入力したときに、予め設定された動作時間で前記防犯機器を動作するべく前記防犯制御モードを実行する防犯機器制御部とを備えたことを特徴とする郵便ポスト防犯連動システム。
【請求項２】
前記防犯機器制御部に接続され、前記防犯制御モードが未設定状態又は前記不在検知部が不在検知信号を出力していない状態で、前記郵便物検知部から郵便物有り検知信号が入力されたときに、郵便物が有る旨を報知する報知手段を備えたことを特徴とする請求項１記載の郵便ポスト防犯連動システム。
【発明の詳細な説明】
【技術分野】
【０００１】
本発明は、不在時に郵便ポストの郵便物の検出に連動して照明装置や音声装置等の防犯機器を動作させて擬似的に在宅状態にすることができる郵便ポスト防犯連動システムに関するものである。
【背景技術】
【０００２】
従来、マンション、アパート等の共同住宅の玄関のエントランスホールには共用ロッカーが設置されており、共用ロッカーに荷物が配達されたことを居室で確認できるようにしたロッカーシステムとして、例えば下記特許文献１や特許文献２に開示されるものが知られている。
【０００３】
この特許文献１や特許文献２のロッカーシステムでは、共用ロッカーとインターホンシステムを接続し、共用ロッカーからの着荷データを、インターホンシステム（インターホン制御機やインターホン制御装置）から住居アダプターを介して居室親機に表示伝達している。これにより、荷物の到着をインターホンへの通知により居住者に知らせることができるようになっている。
【先行技術文献】
【特許文献】
【０００４】
【特許文献１】特開平０４−１０２５８４号公報
【特許文献２】特開平０５−１６２７８９号公報
【発明の概要】
【発明が解決しようとする課題】
【０００５】
しかしながら、上述したロッカーに代わる通常の郵便ポストでは、郵便物や新聞等が長時間（長期間）郵便ポストに保管されたままだと、不在が一目で犯罪者に判ってしまい、不在情報の漏洩上に問題があった。
【０００６】
しかも、通常の郵便ポストは、鍵等が無いことが多く、鍵等が有っても簡易的なものであり、住所や家族構成、差出人（特に、金融関係は重要）等の個人情報を郵便物を盗むことで簡単に入手でき、個人情報の漏洩にも問題があった。
【０００７】
そこで、本発明は上記問題点に鑑みてなされたものであり、不在時に郵便ポストの郵便物の検出に連動して照明装置や音声装置等の防犯機器を動作させて擬似的に在宅状態にすることができる郵便ポスト防犯連動システムを提供することを目的とするものである。
【課題を解決するための手段】
【０００８】
上記した目的を達成するために、請求項１に記載された郵便ポスト防犯連動システムは、郵便ポストの郵便物の検出に連動して防犯機器を動作する防犯制御モードを有する郵便ポスト防犯連動システムであって、
前記郵便ポスト内の郵便物を検知したときに郵便物有り検知信号を出力する郵便物検知部と、
不在を検知したときに不在検知信号を出力する不在検知部と、
閉扉・施錠状態で前記不在検知部から不在検知信号が入力し、かつ前記郵便物検知部から郵便物有り検知信号が入力したときに、予め設定された動作時間で前記防犯機器を動作するべく前記防犯制御モードを実行する防犯機器制御部とを備えたことを特徴とする。
【０００９】
請求項２に記載された郵便ポスト防犯連動システムは、請求項１の郵便ポスト防犯連動システムにおいて、
前記防犯機器制御部に接続され、前記防犯制御モードが未設定状態又は前記不在検知部が不在検知信号を出力していない状態で、前記郵便物検知部から郵便物有り検知信号が入力されたときに、郵便物が有る旨を報知する報知手段を備えたことを特徴とする。
【発明の効果】
【００１０】
本発明に係る郵便ポスト防犯連動システムによれば、不在時に郵便ポストの郵便物の検出に連動して照明装置や音声装置等の防犯機器を動作させて擬似的に在宅状態にすることができる。そして、擬似的に在宅状態にすることにより、不在が一目で犯罪者に知られるおそれが減り、郵便物による不在情報の漏洩を低減することができる。
【００１１】
また、在宅時や防犯制御モードＯＦＦの状態であっても、郵便物が有る場合には、郵便物が有る旨を報知するので、在宅時や帰宅時に郵便物が有ることを居住者が認識することができる。
【図面の簡単な説明】
【００１２】
【図１】本発明に係る郵便ポスト防犯連動システムの概略構成を示すブロック図である。
【図２】本発明に係る郵便ポスト防犯連動システムの動作例を示すフローチャートである。
【発明を実施するための形態】
【００１３】
以下、本発明を実施するための形態について、添付した図面を参照しながら詳細に説明する。図１は本発明に係る郵便ポスト防犯連動システムの概略構成を示すブロック図、図２は同システムの動作例を示すフローチャートである。
【００１４】
本発明に係る郵便ポスト防犯連動システム１は、不在時に郵便ポストの郵便物の検出に連動して照明装置や音声装置等の防犯機器を動作させて擬似的に在宅状態にすることができるシステムである。
【００１５】
図１に示すように、郵便ポスト防犯連動システム１は、郵便ポスト２、設定部３、郵便物検知部４、不在検知部５、インターホン６、防犯機器７、防犯機器制御部８、状態検知部９、電気錠装置１０を備えて概略構成される。
【００１６】
郵便ポスト２は、配達された郵便物や新聞等を受け取るためのものであり、例えば玄関や門、ドア等に設けられる。尚、郵便ポスト２は、郵便物による個人情報の漏洩を防止するために、扉の開閉に認証付きの電気錠を用いる構成としても良い。
【００１７】
設定部３は、利用者が操作する例えばディップスイッチ、トグルスイッチ、キー等で構成され、防犯機器７を動作させて擬似的に在宅状態にするための防犯制御モードをＯＦＦ（無効）のままかＯＮ（有効）に切り替えるかのモード設定を行い、防犯制御モードＯＮ又は防犯制御モードＯＦＦのモード設定情報を防犯機器制御部８に出力している。
【００１８】
また、設定部３は、防犯制御モードＯＮに切り替えた際に、防犯機器７の動作時間（ＯＮ時間とＯＦＦ時間）の設定を行っている。例えば１９：００に防犯機器７をＯＮさせて翌日の７：００にＯＦＦさせる場合には、ＯＮ時間が１９：００、ＯＦＦ時間が７：００に設定される。そして、これらＯＮ時間とＯＦＦ時間は、動作時間設定情報として防犯機器制御部８に出力される。
【００１９】
尚、図１では、ブロック構成として、設定部３と防犯機器制御部８を分けた構成として説明しているが、設定部３の機能を防犯機器制御部８に付加した構成とすることもできる。
【００２０】
郵便物検知部４は、例えば重量センサ、投受光器、スイッチ等で構成され、郵便ポスト２内の郵便物の有無を検知し、郵便物が有るときに郵便物有り検知信号を防犯機器制御部８に出力し、郵便物が無いときに郵便物無し検知信号を防犯機器制御部８に出力している。尚、郵便物検知部４は、郵便ポスト２の郵便物を検知できれば良く、その構成及び検知手法が限定されるものではない。
【００２１】
不在検知部５は、例えばサムターンの取り外しの有無や外出行為を示す操作（例えば電気錠１０ｂを外出確認錠で構成し、外側からのキーにより施錠する操作）の有無によって不在か否かを検知するもので、サムターンが取り外されたときや外出行為を示す操作が行われたときに、不在を示す不在検知信号を電気錠装置１０に出力している。
【００２２】
尚、不在検知部５は、サムターンが取り外されていないときや外出行為を示す操作が行われていないときに、在宅を示す在宅検知信号を電気錠装置１０に出力する構成とすることもできる。
【００２３】
インターホン６は、外来者が室内を呼び出して通話するものであり、例えば住宅の玄関外部に設置される玄関子機６ａと、室内に設置されるインターホン親機６ｂから構成される。これら玄関子機６ａとインターホン親機６ｂは、表示器を備えており、防犯機器制御部８に接続される。
【００２４】
また、インターホン６は、防犯制御モードＯＦＦ又は不在検知部５が不在検知信号を出力していない状態で、郵便物検知部４から郵便物有り検知信号が入力されたときに、郵便物が有る旨を表示や音声によって報知する報知手段としての機能を兼ね備えている。尚、この報知手段は、インターホン６とは別に室内及び室外に備えた構成としても良い。
【００２５】
防犯機器７は、防犯機器制御部８に接続され、この防犯機器制御部８によって電源のＯＮ／ＯＦＦが制御される機器、例えば照明装置７ａ、音声装置７ｂ等で構成される。
【００２６】
防犯機器制御部８は、防犯制御モード時の電気錠装置１０からの制御指令により、設定部３からの動作時間設定情報に基づいて防犯機器７の電源をＯＮ／ＯＦＦ制御している。また、防犯機器制御部８は、郵便物検知部４からの郵便物有り検知信号又は郵便物無し検知信号を電気錠装置１０に転送出力している。
【００２７】
状態検知部９は、現在の扉の開閉状態と現在の錠前の施解錠状態を検知し、この検知による状態信号（開扉・施錠の検知信号、開扉・解錠の検知信号、閉扉・施錠の検知信号、閉扉・解錠の検知信号）をモニタ信号として電気錠装置１０に出力している。
【００２８】
電気錠装置１０は、屋内の所定箇所に設置される電気錠制御盤１０ａと、電気錠制御盤１０ａによって解錠（又は施錠）制御される電気錠１０ｂとからなる。
【００２９】
電気錠制御盤１０ａは、各種判別処理として、設定部３による防犯制御モードの設定の有無判別、設定部３による防犯機器７の動作時間の設定の有無判別、不在検知部５からの検知信号による不在判別、状態検知部９からのモニタ信号による現在の扉および錠前の状態判別を行っている。
【００３０】
また、電気錠制御盤１０ａは、防犯制御モードＯＮと判別したときに、設定部３で設定された動作時間設定情報による動作時間だけ防犯機器７を動作させるべく防犯機器制御部８に制御指令を出力している。
【００３１】
さらに、電気錠制御盤１０ａは、防犯制御モードＯＦＦと判別し、郵便物検知部４から防犯機器制御部８を介して郵便物有りの検知信号が入力されたときに、防犯機器制御部８を介してインターホン６（インターホン親機６ｂ）に郵便物有り情報を出力している。
【００３２】
また、電気錠制御盤１０ａは、帰宅時の解錠操作を正常認証（例えば暗証番号の照合ＯＫ等）し、かつ郵便物無しと判別したときに、錠前を解錠するための解錠信号を電気錠１０ｂに出力している。これに対し、閉扉後の自動施錠を含めて施錠操作されたときには、錠前を施錠するための施錠信号を電気錠１０ｂに出力している。
【００３３】
電気錠１０ｂは、電気錠制御盤１０ａからの解錠信号（又は施錠信号）によって錠前が解錠（又は施錠）制御されるもので、電気錠制御盤１０ａからの解錠信号により扉枠の係止穴からデッドボルトを引き込んで錠前を電気的に解錠し、電気錠制御盤１０ａからの施錠信号により扉枠の係止穴に対してデッドボルトを突出して錠前を電気的に施錠している。
【００３４】
尚、電気錠装置１０は、電気錠制御盤１０ａの構成を省き、電気錠１０ｂに制御機能を備えた構成とすることもできる。また、電気錠制御盤１０ａは、郵便物の有無によらず、帰宅時の解錠操作を正常認証したときに、錠前を解錠するための解錠信号を電気錠１０ｂに出力する構成としても良い。さらに、セキュリティの向上を図るために、例えばフランス落し、ドアガードを電気錠制御盤１０ａからの施錠信号によって電気錠１０ｂの施錠と連動して動作させる構成とすることもできる。
【００３５】
次に、上記のように構成される郵便ポスト防犯連動システム１の動作について図２のフローチャートを参照しながら説明する。
【００３６】
まず、設定部３の操作により、防犯制御モードＯＮ／ＯＦＦの設定、防犯制御モードＯＮ時の防犯機器７の動作時間（ＯＮ時間、ＯＦＦ時間）の設定を予め行っておく（ＳＴ１）。本システム１を防犯制御モードで運用する場合には、防犯制御モードＯＮに設定し、防犯機器７として例えば照明装置７ａの照明をＯＮするＯＮ時間を１９：００、照明装置７ａの照明をＯＦＦするＯＦＦ時間を翌日の７：００にそれぞれ設定する。
【００３７】
電気錠装置１０は、不在検知部５からの検知信号と状態検知部９からのモニタ信号に基づいて居住者が不在か否かを判別する（ＳＴ２）。電気錠装置１０は、居住者が不在でなく在宅中と判別すると（ＳＴ２−Ｎｏ）、郵便物検知部４からの検知信号に基づいて郵便物が有るか否かを判別する（ＳＴ３）。電気錠装置１０は、郵便物が有ると判別すると（ＳＴ３−Ｙｅｓ）、郵便物有りを示す郵便物情報を防犯機器制御部８からインターホン６に出力する（ＳＴ４）。そして、インターホン６は、防犯機器制御部８から郵便物情報が入力すると、例えば表示部に郵便記号を表示したり、郵便物が有る旨を音で知らせる。これにより、居住者は、郵便ポスト２に郵便物が有ることを室内から知ることができる。
【００３８】
電気錠装置１０は、状態検知部９から閉扉・施錠のモニタ信号が入力され、不在検知部５から不在検知信号が入力されて居住者が不在と判別すると（ＳＴ２−Ｙｅｓ）、郵便物検知部４からの検知信号（郵便物有り検知信号又は郵便物無し検知信号）に基づいて郵便物が有るか否かを判別する（ＳＴ５）。電気錠装置１０は、郵便物が有ると判別すると（ＳＴ５−Ｙｅｓ）、防犯制御モードＯＮか否かを判別する（ＳＴ６）。
【００３９】
電気錠装置１０は、防犯制御モードＯＮでなくＯＦＦと判別すると（ＳＴ６−Ｎｏ）、郵便物有りを示す郵便物情報を防犯機器制御部８からインターホン６に出力する（ＳＴ４）。そして、インターホン６は、防犯機器制御部８から郵便物情報が入力すると、例えば表示部に郵便記号を表示したり、郵便物が有る旨を音で知らせる。これにより、居住者は、帰宅時に郵便ポスト２に郵便物が有ることを室外から知ることができる。
【００４０】
電気錠装置１０は、防犯制御モードＯＮと判別すると（ＳＴ６−Ｙｅｓ）、防犯制御モードの処理を開始し（ＳＴ７）、設定部３で設定されたＯＮ時間になったか否かを判別する（ＳＴ８）。電気錠装置１０は、ＯＮ時間になったと判別すると（ＳＴ８−Ｙｅｓ）、防犯機器７をＯＮするべく防犯機器制御部８に制御指令を出力する。そして、防犯機器制御部８は、電気錠装置１０から制御指令が入力すると、防犯機器７の電源をＯＮして動作させる（ＳＴ９）。例えば防犯機器７が照明装置７ａであれば、照明をＯＮする。これにより、不在時に擬似的に在宅状態にすることができる。
【００４１】
その後、電気錠装置１０は、設定部３で設定されたＯＦＦ時間になったか否かを判別する（ＳＴ１０）。電気錠装置１０は、ＯＦＦ時間になったと判別すると（ＳＴ１０−Ｙｅｓ）、防犯機器７をＯＦＦするべく防犯機器制御部８に制御指令を出力する。そして、防犯機器制御部８は、電気錠装置１０から制御指令が入力すると、防犯機器７の電源をＯＦＦして動作を停止する（ＳＴ１１）。例えば防犯機器が照明装置７ａであれば、照明をＯＦＦする。そして、防犯制御モードの処理を終了する（ＳＴ１２）。
【００４２】
尚、電気錠装置１０は、居住者が外出先から帰宅して所定の解錠操作を正常認証（例えば暗証番号の照合ＯＫ等）したとき、郵便物検知部４から郵便物無し検知信号が防犯機器制御部８を介して入力すると、電気錠制御盤１０ａから電気錠１０ｂに解錠信号を出力する。そして、電気錠１０ｂは、電気錠制御盤１０ａから解錠信号が入力すると、電気錠１０ｂの錠前を解錠制御する。
【００４３】
また、電気錠装置１０は、上記解錠操作の正常認証時に、郵便物検知部４から郵便物有り検知信号が防犯機器制御部８を介して入力すると、郵便物有りを示す郵便物情報を防犯機器制御部８からインターホン６に出力する。その際、電気錠装置１０は、解錠操作を正常認証しても、郵便物検知部４から郵便物無し検知信号が入力されるまで電気錠制御盤１０ａから電気錠１０ｂへの解錠信号の出力を禁止する。そして、インターホン６は、防犯機器制御部８から郵便物情報が入力されると、例えば表示器に郵便記号を表示したり、郵便物が有る旨を音声で知らせる。
【００４４】
このように、本発明に係る郵便ポスト防犯連動システム１では、防犯制御モードＯＮにして防犯機器７の動作時間（ＯＮ時間、ＯＦＦ時間）を設定しておき、不在検知部５からの検知信号によって不在を検知し、郵便物検知部４からの検知信号によって郵便物が有ると判別したときに、予め設定した動作時間で防犯機器７の電源をＯＮ／ＯＦＦ制御するので、不在時に郵便ポスト２の郵便物の検出に連動して照明装置や音声装置等の防犯機器７を動作させて擬似的に在宅状態にすることができる。そして、擬似的に在宅状態にすることにより、不在が一目で犯罪者に知られるおそれが減り、郵便物による不在情報の漏洩を低減することができる。
【００４５】
また、在宅時や防犯制御モードＯＦＦの状態であっても、郵便物が有る場合には、インターホン（玄関子機６ａ、インターホン親機６ｂ）の報知手段の機能により、郵便物が有る旨を表示や音声によって知らせるので、在宅時や帰宅時に郵便物が有ることを居住者が認識することができる。
【００４６】
さらに、郵便ポストに認証付き電気錠の構成を採用すれば、不当に郵便物を取り出すことができず、郵便物による個人情報の漏洩を低減することができる。
【００４７】
ところで、上述した実施の形態では、防犯機器７として照明装置７ａの電源をＯＮ／ＯＦＦ制御する場合を例にとって説明したが、これに限定されるものではない。防犯機器７として例えば音声装置７ｂの電源、照明装置７ａ及び音声装置７ｂの電源を電気錠装置１０からの制御指令に基づく防犯機器制御部８の制御によりＯＮ／ＯＦＦ制御することもできる。
【符号の説明】
【００４８】
１  郵便ポスト防犯連動システム
２  郵便ポスト
３  設定部
４  郵便物検知部
５  不在検知部
６  インターホン
６ａ  玄関子機
６ｂ  インターホン親機
７  防犯機器
８  防犯機器制御部
９  状態検知部
１０  電気錠装置
１０ａ  電気錠制御盤
１０ｂ  電気錠
１１  扉
【図１】
2011156219.tif 000003
【図２】
2011156219.tif 000004